(57)【特許請求の範囲】
【請求項１】
錘となるコンクリートブロックが載置される支柱スタンドによって収納ボックスが支持される収納ボックスの設置構造であって、
前記収納ボックスは、配達物が投入される投入口を備えて前記支柱スタンドに固定されるとともに、
前記支柱スタンドは、前記収納ボックスを支持する一対の支柱部と、この支柱部が立設固定されており、設置場所の地盤に対して非固定状態で設置され、かつ前記コンクリートブロックが載置される平面部とを有し、
前記コンクリートブロックには、長手方向の左右両端面に凹部が設けられており、
前記一対の支柱部は、その下方の少なくとも一部において前記コンクリートブロックの凹部の各々に嵌挿され、かつ、前記コンクリートブロックが前記支柱部の立設方向に挿脱自在とされていることを特徴とする収納ボックスの設置構造。
【請求項２】
前記一対の支柱部間を架け渡すように、取り付けボードが前記支柱部に固定され、前記取り付けボードによって前記収納ボックスが固定支持されることを特徴とする請求項１に記載の収納ボックスの設置構造。
【請求項３】
収納ボックスを支持する支柱スタンドであって、
前記収納ボックスが固定される一対の支柱部と、この支柱部が立設固定されており、設置場所の地盤に対して非固定状態で設置される平面部と、を有し、
前記平面部上には錘となるコンクリートブロックを載置するためのスペースが設けられ、
前記一対の支柱部は、その下方の少なくとも一部において前記スペースに載置された前記コンクリートブロックの長手方向の左右両端面の凹部の各々に嵌挿され、前記コンクリートブロックを前記支柱部の立設方向に挿脱自在とする
支柱スタンド。
【発明の詳細な説明】
【技術分野】
【０００１】
本発明は、収納ボックスの設置構造および支柱スタンドに関する。
【背景技術】
【０００２】
従来より、郵便物や宅配物等の配達物を受け取り、一時保管する収納ボックスについては、支柱スタンドに収納ボックスを取り付けて設置する構造が知られている。このような収納ボックスの設置構造として、例えば図８に示したような、支柱スタンド８１の台座部分８２にコンクリートブロックからなるウェイト８３を載置して安定化を図ることも提案されている。
【０００３】
しかしながら、この構造においては、コンクリートブロックのウェイト８３は、支柱スタンド８１の台座部８２に固定されていないため、ウェイト８３は風や振動による支柱スタンドの揺れや人の意図的な作為によって台座部８２よりすべってずれ落ちたり、紛失されてしまうという懸念があった。このため、塀や門柱などの建物の外構部に埋設されて設置されている収納ボックスの場合に比べ、構造的に不安定で、支柱スタンドごと収納ボックスが転倒させられ、破壊されたり、収納ボックス内の配達物が盗難にあうおそれがあるという防犯面での問題もあった。
【０００４】
そこで、支柱スタンドに収納ボックスを取り付け設置する構造については、これまでにも様々な工夫、改良が試みられている。例えば、コンクリートブロックのウェイトと支柱の台座部分とのすべりやずれを抑え、安定性や防犯効果の向上を図ろうとした構造が提案されている（特許文献１参照）。この特許文献１に記載された構造では、図７に示すように、所要の支柱７１を立設状態に支持する台座７２と、台座７２に載置して荷重を掛けるためのウェイト７３からなる支柱スタンド７４に収納ボックスを取り付けて固定する。台座７２は、コンクリートブロックからなるウェイト７３を載置する平坦な底板７２１と、底板７２１から立ち上がる壁板７２２と、壁板７２２の上下端縁部が同一方向に折曲成形されて外方向へ平行かつ水平に延びた一対の突条片７５を備えている。突条片７５の外方向の端部には、所定間隔ごとに複数の係合凹部７６が形成されており、支柱７１の下方部位を係合凹部７６に当接させて、支柱７１に設けられた第１孔部７７と壁板７２２に設けられた第２孔部７８とを介して締結部材７９ａ、７９ｂを用いて支柱７１と台座７２とを固定する。次いで、コンクリートブロックのウェイト７３を台座７２の底板７２１に整列させ、短手方向の一側面部を壁板７２２に当接させた状態で載置する。また、台座７２の底板７２１に載置されたコンクリートブロックのウェイト７３には、カバー体７１０が配設され、このような支柱スタンド７４の上方部位に収納ボックスが取り付けられて設置される。
【０００５】
この特許文献１に記載された構造によれば、支柱と台座との間のすべりやずれが抑えられ、ウェイトと支柱との関係が安定化される。また、コンクリートブロックのウェイトにカバー体が被着されていることにより、ウェイトが動きにくくなり、支柱スタンドの安定性が向上する。そして、カバー体によって、コンクリートブロックのウェイトが外見上露出しないことから、人為的な取り去りを防止するとの防犯効果の向上が図られる。さらにまた、特許文献１の構造では、様々な外径を有する支柱を台座部分に取付可能であって、しかも支柱の本数を適宜変更可能であるようにされている。
【先行技術文献】
【特許文献】
【０００６】
【特許文献１】特開２００３−８２８８３号公報
【発明の概要】
【発明が解決しようとする課題】
【０００７】
しかしながら、特許文献１に記載された構造では、コンクリートブロックのウェイト７３そのものは台座７２に固定されておらず、カバー体７１０は、ウェイト７３に干渉しないように配置されており、しかもカバー体７１０の端部が台座７２の底板７２１と固定されてもいない。すなわち、単に、ウェイト７３を台座７２の底板７２１の上面に載置してカバー体７１０を被着しているに過ぎない。このため、ウェイト７３は風や振動による支柱スタンド７４の揺れや人の意図的な作為によって台座７２よりすべってずれ落ちたり、紛失されてしまう。このため、支柱７１および台座７２ごと収納ボックスが転倒し、破壊されるおそれがあるなどの構造安定性や防犯面についての検討は不十分であった。また、特許文献１に記載された収納ボックスの設置構造では、締結部材７９ａ、７９ｂによって支柱７１と台座７２を締結しているため、支柱７１の下端部と台座７２の底板７２１の固定強度が必ずしも十分であるとは言えなかった。さらにまた、特許文献１に記載された構造では、部品点数が多く、設置施工が煩雑になるという問題もあった。
【０００８】
本発明は、以上のとおりの事情を鑑みてなされたものであり、設置が容易であって、しかも簡便な構成でありながら、荷重を掛ける錘を支柱スタンドに固定することができ、構造安定性や防犯性にも優れる収納ボックスの設置構造および支柱スタンドを提供することを課題とする。
【課題を解決するための手段】
【０００９】
上記の課題を解決するために、本発明の収納ボックスの設置構造は、錘となるコンクリートブロックが載置される支柱スタンドによって収納ボックスが支持される収納ボックスの設置構造であって、前記収納ボックスは、配達物が投入される投入口を備えて前記支柱スタンドに固定されるとともに、前記支柱スタンドは、前記収納ボックスを支持する一対の支柱部と、この支柱部が立設固定されており、設置場所の地盤に対して非固定状態で設置され、かつ前記コンクリートブロックが載置される平面部とを有し、前記コンクリートブロックには、長手方向の左右両端面に凹部が設けられており、前記一対の支柱部は、その下方の少なくとも一部において前記コンクリートブロックの凹部の各々に嵌挿され、かつ、前記コンクリートブロックが前記支柱部の立設方向に挿脱自在とされていることを特徴とする。                            
【発明の効果】
【００１０】
本発明の収納ボックスの設置構造によれば、設置が容易であって、しかも簡便な構成でありながら、荷重をかける錘を支柱スタンドに固定することができ、構造安定性や防犯性にも優れる収納ボックスの設置構造を実現することができる。
【図面の簡単な説明】
【００１１】
【図１】本発明の収納ボックスの設置構造の第１実施形態を示した斜視図である。
【図２】図１に示した収納ボックスの設置構造の分解斜視図である。
【図３】図１に示した収納ボックスの設置構造のＡ−Ａ’断面図である。
【図４】本発明の収納ボックスの設置構造の第２実施形態を示した斜視図である。
【図５】図４に示した収納ボックスの設置構造の分解斜視図である。
【図６】本発明の収納ボックスの設置構造の第３実施形態を示した斜視図である。
【図７】従来の収納ボックスの設置構造を示した分解斜視図である。
【図８】従来の収納ボックスの別の設置構造を示した斜視図である。
【発明を実施するための形態】
【００１２】
本発明の収納ボックスの設置構造について、以下に図面に沿って詳細に説明する。
【００１３】
図１は、本発明の収納ボックスの設置構造の第１実施形態を示した斜視図である。図２は、図１に示した収納ボックスの設置構造の分解斜視図である。図３は、図１に示した収納ボックスの設置構造のＡ−Ａ’断面図である。
【００１４】
収納ボックス１の設置構造は、錘となるコンクリートブロック２が載置される支柱スタンド３によって収納ボックス１が支持される収納ボックス１の設置構造であって、収納ボックス１は、配達物が投入される投入口１１を備えて支柱スタンド３に固定されるとともに、支柱スタンド３は、収納ボックス１を支持する一対の支柱部４と、この支柱部４が立設固定され、かつコンクリートブロック２が載置される平面部５とを有し、コンクリートブロック２には、長手方向の左右両端面に凹部２ａが設けられており、一対の支柱部４は、その下方の少なくとも一部においてコンクリートブロック２の凹部２ａの各々に嵌挿され、かつ、コンクリートブロック２が支柱部４の立設方向に挿脱自在とされていることを特徴とする。
【００１５】
また、収納ボックス１の設置構造では、一対の支柱部４間を架け渡すように、取り付けボード１３が支柱部４に固定され、取り付けボード１３によって収納ボックス１が固定支持されることが好ましい。
【００１６】
さらに、収納ボックス１の設置構造では、収納ボックス１がその前面１ｃに投入口１１を備えていることが好ましい。
【００１７】
収納ボックス１は、その内部１ｂに郵便物、宅配物等の比較的小型の配達物を収納する収納空間を有している。また、収納ボックス１は、前記配達物を投入する投入口１１を備えている。投入口１１の配設箇所については、前記配達物の水濡れや汚損が抑えられる限り特に制限されないが、収納ボックス１の前面１ｃに投入口１１を備えていることが好ましい。
【００１８】
投入口１１としては、例えば、収納ボックス１の内部１ｂ側に向かって回動可能なフラップや、投入口１１のいずれか一辺が蝶番などの金具によって収納ボックス１の前面１ｃに固定された開閉自在な開き戸等が例示される。
【００１９】
また、図示していないものの、収納ボックス１には投入口１１の他に、収納ボックス１の内部１ｂに収納された前記配達物の取り出し時や、第１の固定具７の取り付け時に収納ボックス１の内部１ｂへのアクセスを可能とする開閉扉を備えていることも好ましく考慮される。前記開閉扉は、通常時は、南京錠やダイヤル式ロック等の鍵を用いて施錠されており、収納ボックス１の使用者以外の第三者が鍵を解錠して、収納ボックス１の内部１ｂに収納された前記配達物を不正に取得することはできない。
【００２０】
支柱スタンド３では、図１および図２に示すように、支柱スタンド３の一対の支柱部４間に、これらの支柱部４の上部からコンクリートブロック２の凹部２ａが支柱部４と当接するように挿入され、平面部５の上面５ａに載置される。
【００２１】
コンクリートブロック２は、平面部５に荷重を掛ける錘となり、収納ボックス１の設置構造を安定化させることが可能である。コンクリートブロック２としては、ＪＩＳ等の公的規格で規定されたもの等、特に制限されることなく使用することができる。コンクリートブロック２は、その短手方向に沿って複数の中空部２ｂが開孔されており、中空部２ｂはコンクリートブロック２の長手方向に沿って等間隔に整列するように成形されている。また、コンクリートブロック２の長手方向の両端部には、中空部２ｂの長軸に沿って２分割された形状を有する凹部２ａが形成されている。
【００２２】
上記のコンクリートブロック２の凹部２ａおよび中空部２ｂは楕円形等の曲線から構成された形状であってもよいし、多角形から構成された形状であってもよい。
【００２３】
このようなコンクリートブロック２は、収納ボックス１や支柱部４の重量に応じて、１つまたはそれ以上の任意の個数を支柱スタンド３の平面部５の上面５ａに載置することができる。
【００２４】
なお、コンクリートブロック２の表面は、設置時の美観を向上させるために、塗料を用いて塗装されていてもよい。また、収納ボックス１の設置後、コンクリートブロック２の重量増加と美観の向上を目的として、コンクリートブロック２の中空部２ｂに、例えば、漆喰、モルタル、セメント等を充填することも好ましく考慮される。さらに、コンクリートブロック２の中空部２ｂには、園芸用の土等を充填して花壇として使用し、住宅の玄関先など支柱スタンド３の設置場所に華やいだ空間を演出することもできる。
【００２５】
支柱部４は、中空の金属製の管材から形成されており、その表面には長期間屋外で風雨にさらされても錆の発生を抑制することができるように、防錆塗装やめっき処理等が施されている。また、支柱部４には、上記の防錆塗装やめっき処理を下地処理として、さらに仕上げ塗装が施されていることも好ましく考慮される。
【００２６】
本実施形態においては、このような支柱部４において、収納ボックス１の設置時に収納ボックス１の背面１ａと当接する部位には、第１の固定部６が設けられている。第１の固定部６は、第１の固定具７を挿通して固着可能な構造を有している。第１の固定部６としては、例えば、貫通孔やネジ孔等が例示される。また、支柱部４の内部に前記貫通孔と整列するように、あらかじめナットが溶接固定されている態様等も好ましく考慮される。
【００２７】
支柱部４の断面形状は、特に制限されないが、図３に示すように、支柱部４の側面をコンクリートブロック２の凹部２ａに当接または近接させることから、凹部２ａの形状に応じて、円形の断面形状や様々な多角形型の断面形状を有していてもよい。また、支柱部４は、コンクリートブロック２の凹部２ａと当接または近接させる少なくとも下方の一部が、凹部２ａの形状に対応した形状であればよい。
【００２８】
支柱部４の高さは、収納ボックス１の設置高さに応じて適宜変更できるが、例えば、高さ８００ｍｍ以上１２００ｍｍ以下の範囲が例示される。
【００２９】
平面部５は、金属製の板材から形成されており、支柱部４と同様にその表面には長期間屋外で風雨にさらされても錆の発生を抑制することができるように、防錆塗装やめっき処理等が施されている。また、平面部５には、上記の防錆塗装やめっき処理を下地処理として、さらに仕上げ塗装が施されていることも好ましく考慮される。
【００３０】
平面部５の上面５ａには、支柱部４が、コンクリートブロック２の長手方向の左右両端面に設けられた凹部２ａに対応する間隔であらかじめ立設固定されている。支柱部４と平面部５の固定方法としては、コンクリートブロック２の荷重に支柱部４が抗しきれる限り特に制限されないが、強度面を考慮すると溶接による固定が好ましく考慮される。
【００３１】
また、図示していないものの、平面部５の上面５ａには、例えば、四隅に貫通孔を設け、ペグや杭などの固定具を前記貫通孔に挿通し、支柱スタンド３の設置場所の地盤に固定することも考慮される。さらに、一方の端部が支柱スタンド３の設置箇所に近接する建物の一部に固定された、盗難防止用のチェーンロック等を取り付けるためのフック構造を平面部５の上面５ａに設けることも考慮される。このようなフック構造は、支柱部４と同様に、平面部５の上面５ａと溶接固定されることが好ましい。さらにまた、平面部５の下面には、図示していないものの、高さ調節が可能な樹脂製の脚等を設けることも好ましく考慮される。
【００３２】
このように、支柱スタンド３では、図１から図３に示すように、一対の支柱部４は、下方の少なくとも一部においてコンクリートブロック２の凹部２ａの各々に嵌挿され、コンクリートブロック２が支柱部４の立設方向に挿脱自在とされている。また、支柱部４の内側の側面は、コンクリートブロック２の凹部２ａに当接または近接して設けられており、コンクリートブロック２は、上方向に移動させる場合以外は取り外しできないように載置されている。収納ボックス１は、支柱部４に設けられた第１の固定部６と、収納ボックス１の背面１ａとを当接させて、収納ボックス１の内部１ｂ側から収納ボックス１の背面１ａおよび支柱部４に設けられた第１の固定部６を貫通するように第１の固定具７で固着される。
【００３３】
第１の固定具７としては、例えば、ネジ、ボルト、アンカーボルト等が例示される。このような第１の固定具７を挿通するために、収納ボックス１には内部１ｂと背面１ａとを貫通する貫通孔をあらかじめ設けておくことが好ましく考慮される。
【００３４】
本実施形態における収納ボックス１の設置構造は、上記のとおりの構造を備えていることから、設置が容易であって、しかも簡便な構成でありながら、荷重を掛ける錘を支柱スタンドに固定することができ、構造安定性や防犯性にも優れている。
【００３５】
図４は、本発明の収納ボックスの設置構造の第２実施形態を示した斜視図である。図５は、図４に示した収納ボックスの設置構造の分解斜視図である。第１実施形態と共通する部分については図中に同一の符号を付し、その説明を省略する。
【００３６】
本実施形態の収納ボックス１の設置構造では、支柱部４に設けられた第１の固定部６間を架け渡すように、取り付けボード１３が第１の固定具７により固着されている。また、取り付けボード１３には、第２の固定部９として複数の貫通孔が設けられている。本実施形態の収納ボックス１の設置構造では、第２の固定部９と収納ボックス１の背面１ａとを当接させて、収納ボックスの内部１ｂ側から収納ボックス１の背面１ａおよび取り付けボード１３に設けられた第２の固定部９を貫通するように第２の固定具１０で固着され、収納ボックス１が設置されている。
【００３７】
第２の固定具１０としては、第１の固定具７と同様のものを使用することもできるし、別異のものを使用することもできるが、ネジを用いることが好ましい。
【００３８】
取り付けボード１３としては、第２の固定具１０を挿通させることができ、かつ、第２の固定具１０の保持力が十分である限り特に制限されないが、例えば、木質ボードや樹脂製ボード、金属板等が例示される。このように、取り付けボード１３を介して支柱スタンド３に収納ボックス１を取り付け、固定することによって、収納ボックス１の固定強度を高めることが可能である。
【００３９】
図６は、本発明の収納ボックスの設置構造の第３実施形態を示した斜視図である。第１実施形態と共通する部分については図中に同一の符号を付し、その説明を省略する。
【００４０】
本実施形態の収納ボックス１の設置構造では、平板部５’として、Ｈ字型形状を有する金属製の板材が使用されている。このような形状の平板部５’を備える収納ボックス１の設置構造を用いることにより、収納ボックス１の使用者が、平板部５’に足の先をぶつけにくくなったり、平板部５’のＨ字型の凹部の部分を建物外周の突設した部分に嵌め込み、設置面積を減少させることができたり、収納ボックス１の設置構造の見栄えを向上させることができる。
【００４１】
なお、本発明の収納ボックスの設置構造は、以上の実施形態に限定されることはない。収納ボックスおよび支柱スタンドの構成および構造をはじめ、収納ボックスおよび支柱スタンドを形成する各種の部材の形状、構造などについては各種の態様が可能である。
【符号の説明】
【００４２】
１  収納ボックス
１ａ  背面
１ｂ  内部
１ｃ  前面
２  コンクリートブロック
２ａ  凹部
２ｂ  中空部
３  支柱スタンド
４  支柱部
５  平面部
５ａ  上面
１１  投入口
【図１】
0006555614.tif 000002
【図２】
0006555614.tif 000003
【図３】
0006555614.tif 000004
【図４】
0006555614.tif 000005
【図５】
0006555614.tif 000006
【図６】
0006555614.tif 000007
【図７】
0006555614.tif 000008
【図８】
0006555614.tif 000009